(57)【要約】　　　（修正有）【課題】　温度の高いＩＣ等の発熱部品の発熱を放熱板が接続されるシャーシからも放熱できシャーシからの放熱を効果的に行える放熱板を用いた発熱部品の放熱構造を提供する。【解決手段】　ＩＣ等の発熱部品９を取り付けた放熱板７で発熱部品９から発する熱を放熱し、放熱板７は鉄板シャーシ１の上面に垂直向きに立設した基板４の表面に水平向きに取り付け放熱板４の表面又は裏面にＩＣ等の発熱部品を取り付け発熱部品の脚部を基板４のパターンに接続し鉄板シャーシにおける放熱板の近傍に上向きに半球状の隆起部１ａを形成し半球状の隆起部と対応する位置に放熱板から半球状の腕部７ａを水平向きに延設し放熱板の半球状の腕部をシャーシの半球状の隆起部に覆い被せ、シャーシの半球状の隆起部の球面状内側面に複数のフィン１０ａを有する放熱部材１０を配設し腕部と複数のフィンを有する放熱部材とをシャーシの隆起部に一体にネジ止めする。【選択図】　図１
0003099533.tif 000002
【実用新案登録請求の範囲】
【請求項１】
ＩＣ等の発熱部品を取り付けた放熱板で前記発熱部品から発する熱を放熱するようにした放熱板を用いた発熱部品の放熱構造において、前記放熱板は、鉄板シャーシの上面に垂直向きに立設された基板の表面に水平向きに取り付けられ、この放熱板の表面あるいは裏面にＩＣ等の発熱部品が取り付けられて、この発熱部品の脚部が前記基板のパターンに接続されていて、前記鉄板シャーシにおける前記放熱板の近傍箇所に上向きに半球状の隆起部が形成され、この半球状の隆起部と対応する位置に前記放熱板から半球状の腕部が水平向きに延設されていて、この放熱板の半球状の腕部が前記シャーシの半球状の隆起部に覆い被せられ、更に、前記シャーシの半球状の隆起部の球面状内側面に複数のフィンを有する放熱部材が配設されていて、前記半球状の腕部と前記複数のフィンを有する放熱部材とが前記シャーシの半球状の隆起部に一体にネジ止めされていることを特徴とする放熱板を用いた発熱部品の放熱構造。
【請求項２】
ＩＣ等の発熱部品を取り付けた放熱板で前記発熱部品から発する熱を放熱するようにした放熱板を用いた発熱部品の放熱構造において、前記放熱板は、鉄板シャーシの上面に垂直向きに立設された基板の表面に水平向きに取り付けられ、この放熱板の表面あるいは裏面にＩＣ等の発熱部品が取り付けられて、この発熱部品の脚部が前記基板のパターンに接続されていて、前記鉄板シャーシにおける前記放熱板の近傍箇所に上向きに隆起部が形成され、この隆起部と対応する位置に前記放熱板から腕部が水平向きに延設されていて、この放熱板の腕部が前記シャーシの隆起部に覆い被せられ、更に、前記シャーシの隆起部の内側面に複数のフィンを有する放熱部材が配設されていて、前記腕部と前記複数のフィンを有する放熱部材とが前記シャーシの隆起部に一体に取り付けられていることを特徴とする放熱板を用いた発熱部品の放熱構造。
【請求項３】
前記シャーシの隆起部は、略円錐台形状に形成され、前記放熱板の腕部が略円錐台形状に形成されていて、前記放熱板の略円錐台形状の腕部が前記シャーシの略円錐台形状の隆起部に覆い被せられた状態で取り付けられている請求項２に記載の放熱板を用いた発熱部品の放熱構造。
【請求項４】
前記放熱板の腕部と前記複数のフィンを有する放熱部材とが、前記シャーシの隆起部にネジ止めで取り付けられている請求項２又は３に記載の放熱板を用いた発熱部品の放熱構造。
【考案の詳細な説明】
【技術分野】
【０００１】
本考案は、ＩＣ等の発熱部品を取り付けた放熱板で発熱部品から発する熱を放熱するようにした放熱板を用いた発熱部品の放熱構造に関するものである。
【背景技術】
【０００２】
　従来、この種の放熱板を用いた発熱部品の放熱構造では、ＩＣ等の発熱部品から発する熱が高い温度であると、放熱板を大きくしなくてはならず、基板上のスペースを大きく取るともに、コスト高になるという問題があった。
【０００３】
　第１の従来技術を図３、図４に示す。電子機器は、取付部材１０３の下部に、バネ性のある金属板からなる熱伝導部材１０４の上板部１０４ａを弾接させると共に、取付部材１０３の係合部１０３ａに熱伝導部材１０４の係止部１０４ｄを掛け止めして、取付部材１０３と熱伝導部材１０４とを結合したため、従来に比して結合作業が簡単で、生産性が良く、安価な電子機器を提供できるものである。（例えば、特許文献１参照）。
　ところが、これにおいては、熱伝動部材１０４と板状部材１０５とが別体となっているために、発熱部品１０２から発せられる熱が熱伝動部材１０４から板状部材１０５に伝わるときの効率が悪くて、板状部材１０５への放熱効果が低いという問題があった。
　また、板状部材１０５には放熱を効果的に行うための工夫が全くなされていないので、放熱効果が充分に発揮されないという問題があった。
【０００４】
　第２の従来技術を図５に示す。電子装置では、発熱性の電子部品２１１が搭載されている電子部品搭載基板２１０の裏面に部品２１１の接地用兼放熱用パターン２１２が形成され、装置のシャーシ２３０と基板２１０との間には、部位２２０ａをパターン２１２に圧接されるとともに部位２２０ｂをシャーシ２３０に圧接される放熱部材２２０が配置され、放熱部材２２０はビスにより基板２１０とシャーシ２３０とに締結されている。電子部品２１１の発生熱はパターン２１２から放熱部材２２０に流れて放熱されるとともにシャーシ２３０からも放熱される。（例えば、特許文献２参照）。
　ところが、これにおいては、シャーシ２３０からも放熱されるようになってはいるが、シャーシ２３０に放熱を効果的に行うための工夫が全くなされていないので、放熱効果が充分に発揮されないという問題があった。
【０００５】
【特許文献１】特開２０００−４０８８７号公報
【特許文献２】特開平７−２９７５８２号公報
【考案の開示】
【考案が解決しようとする課題】
【０００６】
　本考案は、上記従来の問題を解消し、温度の高いＩＣ等の発熱部品の発熱を放熱板が接続されるシャーシからも放熱することができ、更に、このシャーシからの放熱を充分効果的に行うことができ、低コストな放熱板を用いた発熱部品の放熱構造を提供することを目的としている。
【課題を解決するための手段】
【０００７】
　本考案は、上記課題を解決するために提案されたものであって、請求項１に記載の考案は、ＩＣ等の発熱部品を取り付けた放熱板で前記発熱部品から発する熱を放熱するようにした放熱板を用いた発熱部品の放熱構造において、前記放熱板は、鉄板シャーシの上面に垂直向きに立設された基板の表面に水平向きに取り付けられ、この放熱板の表面あるいは裏面にＩＣ等の発熱部品が取り付けられて、この発熱部品の脚部が前記基板のパターンに接続されていて、前記鉄板シャーシにおける前記放熱板の近傍箇所に上向きに半球状の隆起部が形成され、この半球状の隆起部と対応する位置に前記放熱板から半球状の腕部が水平向きに延設されていて、この放熱板の半球状の腕部が前記シャーシの半球状の隆起部に覆い被せられ、更に、前記シャーシの半球状の隆起部の球面状内側面に複数のフィンを有する放熱部材が配設されていて、前記半球状の腕部と前記複数のフィンを有する放熱部材とが前記シャーシの半球状の隆起部に一体にネジ止めされていることを特徴としている。
【０００８】
　請求項２に記載の考案は、ＩＣ等の発熱部品を取り付けた放熱板で前記発熱部品から発する熱を放熱するようにした放熱板を用いた発熱部品の放熱構造において、前記放熱板は、鉄板シャーシの上面に垂直向きに立設された基板の表面に水平向きに取り付けられ、この放熱板の表面あるいは裏面にＩＣ等の発熱部品が取り付けられて、この発熱部品の脚部が前記基板のパターンに接続されていて、前記鉄板シャーシにおける前記放熱板の近傍箇所に上向きに隆起部が形成され、この隆起部と対応する位置に前記放熱板から腕部が水平向きに延設されていて、この放熱板の腕部が前記シャーシの隆起部に覆い被せられ、更に、前記シャーシの隆起部の内側面に複数のフィンを有する放熱部材が配設されていて、前記腕部と前記複数のフィンを有する放熱部材とが前記シャーシの隆起部に一体に取り付けられていることを特徴としている。
【０００９】
　請求項３に記載の考案は、前記シャーシの隆起部は、略円錐台形状に形成され、前記放熱板の腕部が略円錐台形状に形成されていて、前記放熱板の略円錐台形状の腕部が前記シャーシの略円錐台形状の隆起部に覆い被せられた状態で取り付けられているものである。。
　請求項４に記載の考案は、前記放熱板の腕部と前記複数のフィンを有する放熱部材とが、前記シャーシの隆起部にネジ止めで取り付けられているものである。
【考案の効果】
【００１０】
　以上説明したように、請求項１に記載の考案は、ＩＣ等の発熱部品を取り付けた放熱板で発熱部品から発する熱を放熱するようにした放熱板を用いた発熱部品の放熱構造において、放熱板は、鉄板シャーシの上面に垂直向きに立設された基板の表面に水平向きに取り付けられ、この放熱板の表面あるいは裏面にＩＣ等の発熱部品が取り付けられて、この発熱部品の脚部が基板のパターンに接続されていて、鉄板シャーシにおける放熱板の近傍箇所に上向きに半球状の隆起部が形成され、この半球状の隆起部と対応する位置に放熱板から半球状の腕部が水平向きに延設されていて、この放熱板の半球状の腕部がシャーシの半球状の隆起部に覆い被せられ、更に、シャーシの半球状の隆起部の球面状内側面に複数のフィンを有する放熱部材が配設されていて、半球状の腕部と複数のフィンを有する放熱部材とがシャーシの半球状の隆起部に一体にネジ止めされているので、以下に述べる効果を奏する。
【００１１】
　即ち、ＩＣ等からの発熱部品から発する熱を放熱板で放熱するだけでなく、この熱を放熱板から鉄板シャーシに導いてこの鉄板シャーシからも放熱することができ、しかも放熱板と鉄板シャーシとの取り付ける箇所に設けた複数のフィンを有する放熱部材からもこの熱を放熱することができ、放熱効果を高めることができる。
　また、放熱板の半球状の腕部が鉄板シャーシの半球状の隆起部に、腕部の下面全体が接した状態で覆い被せられているので、放熱板から鉄板シャーシに効果的に熱伝動できて、放熱効果を一層高めることができる。
　また、放熱板を大きくする必要がないので、低コストに抑えることができる。
【００１２】
　請求項２に記載の考案は、ＩＣ等の発熱部品を取り付けた放熱板で前記発熱部品から発する熱を放熱するようにした放熱板を用いた発熱部品の放熱構造において、放熱板は、鉄板シャーシの上面に垂直向きに立設された基板の表面に水平向きに取り付けられ、この放熱板の表面あるいは裏面にＩＣ等の発熱部品が取り付けられて、この発熱部品の脚部が基板のパターンに接続されていて、鉄板シャーシにおける放熱板の近傍箇所に上向きに隆起部が形成され、この隆起部と対応する位置に放熱板から腕部が水平向きに延設されていて、この放熱板の腕部がシャーシの隆起部に覆い被せられ、更に、シャーシの隆起部の内側面に複数のフィンを有する放熱部材が配設されていて、腕部と複数のフィンを有する放熱部材とがシャーシの隆起部に一体に取り付けられているので、以下に述べる効果を奏する。
【００１３】
　即ち、ＩＣ等からの発熱部品から発する熱を放熱板で放熱するだけでなく、この熱を放熱板から鉄板シャーシに導いてこの鉄板シャーシからも放熱することができ、しかも放熱板と鉄板シャーシとの取り付ける箇所に設けた複数のフィンを有する放熱部材からもこの熱を放熱することができ、放熱効果を高めることができる。
　また、放熱板を大きくする必要がないので、低コストに抑えることができる。
【００１４】
　請求項３の考案は、シャーシの隆起部は、略円錐台形状に形成され、放熱板の腕部が略円錐台形状に形成されていて、放熱板の略円錐台形状の腕部がシャーシの略円錐台形状の隆起部に覆い被せられた状態で取り付けられているので、シャーシの隆起部に放熱板の腕部が密接した状態で接することができて、伝熱効果を高めることができ、放熱効果を高めることができる。
【００１５】
　請求項４に記載の考案は、放熱板の腕部と複数のフィンを有する放熱部材とが、シャーシの隆起部にネジ止めで取り付けられているので、放熱板の腕部とシャーシの隆起部と複数のフィンを有する放熱部材とを密接した状態でネジ止めで取り付けることができて、熱伝動を良くすることができ、放熱効果を高めることができる。また、ネジ止めで取り付けるだけなので、構造が簡単で低コストに抑えることができる。
【考案を実施するための最良の形態】
【００１６】
　以下、本考案に係る放熱板を用いた発熱部品の放熱構造の実施の形態について、図を参照しつつ説明する。
　図１は本考案の第１実施形態の放熱板を用いた発熱部品の放熱構造を示し、（ａ）はこの放熱構造を備えた電気部品の内部構造を示す部分斜視図、（ｂ）はその要部の縦断面図である。
【００１７】
　この第１実施形態の放熱板を用いた発熱部品の放熱構造は、図１（ａ）に示すように、鉄板シャーシ１の上面に取付部材２を介して左右２枚の基板３、４が鉄板シャーシ１に対して縦向きに取り付けられている。右側の基板４には、複数の電気部品５、６等が取り付けられていて、前後に２枚の放熱板７、８が水平向きに取り付けられている。前側の放熱板７には、ＩＣからなる発熱部品９がビス止めされ、図示しないが、その脚部が基板４のパターンに接続されている。
【００１８】
　更に、鉄板シャーシ１における放熱板７の近傍箇所に上向きに半球状の隆起部１ａが形成され、この半球状の隆起部１ａと対応する位置に放熱板７から半球状の腕部７ａが水平向きに延設されている。そして、この放熱板７の半球状の腕部７ａが鉄板シャーシ１の半球状の隆起部１ａに覆い被せられてビス止めされている。更に、図１（ｂ）に示すように、鉄板シャーシ１の半球状の隆起部１ａの球面状内側面に複数のフィン１０ａを有する放熱部材１０が配設されていて、半球状の腕部７ａと複数のフィン１０ａを有する放熱部材１０とが鉄板シャーシ１の半球状の隆起部１ａに一体にネジ止めされている。
【００１９】
　上記した構造により、ＩＣから発熱部品９から発せられる熱は、放熱板７から放熱されるともに、この放熱板７の腕部７ａから鉄板シャーシ１に伝わってこの鉄板シャーシ７から放熱され、更に、放熱部材１０の複数のフィン１０ａからも放熱される。
【００２０】
　したがって、この第１実施形態によれば、ＩＣからなる発熱部品９から発せられる熱を放熱板７と鉄板シャーシ１と放熱部材１０の複数のフィン１０ａから放熱できるので、放熱作用を高めることができる。
　また、放熱板７の半球状の腕部７ａが鉄板シャーシ１の半球状の隆起部１ａに、腕部７ａの下面全体が接した状態で覆い被せられているので、放熱板７から鉄板シャーシ１に効果的に熱伝動できて、放熱効果を一層高めることができる。
　また、放熱板を大きくする必要がないので、低コストに抑えることができる。
【００２１】
　図２は第２実施形態の放熱板を用いた発熱部品の放熱構造の要部の縦断面図である。
　この第２実施形態の放熱板を用いた発熱部品の放熱構造は、図２に示すように、鉄板シャーシ１の隆起部１ａは、略円錐台形状に形成され、放熱板７の腕部７ａが略円錐台形状に形成されていて、放熱板７の略円錐台形状の腕部７ａが鉄板シャーシ１の略円錐台形状の隆起部１ａに覆い被せられていて、放熱板７の腕部７ａと複数のフィン１０ａを有する放熱部材１０とが、鉄板シャーシ１の隆起部１ａにネジ止めで取り付けられている。
【００２２】
　この第２実施形態によれば、シャーシ１の略円錐台形状の隆起部１ａに放熱板７の略円錐台形状の腕部７ａが密接した状態で接することができて、伝熱効果を高めることができ、放熱効果を高めることができる。
　また、放熱板７の腕部７ａとシャーシ１の隆起部１ａと複数のフィン１０ａを有する放熱部材１０とを密接した状態でネジ止めで取り付けることができて、熱伝動を良くすることができ、放熱効果を高めることができる。また、ネジ止めで取り付けるだけなので、構造が簡単で低コストに抑えることができる。
【図面の簡単な説明】
【００２３】
【図１】第１実施形態の放熱板を用いた発熱部品の放熱構造を示し、（ａ）はこの放熱構造を備えた電気部品の内部構造を示す部分斜視図、（ｂ）はその要部の縦断面図である。
【図２】第２実施形態の放熱板を用いた発熱部品の放熱構造の要部の縦断面図である。
【図３】従来の電子機器の部分平面図である。
【図４】図３のＡ−Ａ線断面図である。
【図５】従来の電子装置の部分分解斜視図である。
【符号の説明】
【００２４】
１　　　　　鉄板シャーシ
１ａ　　　　隆起部
４　　　　　基板
７　　　　　放熱板
７ａ　　　　腕部
９　　　　　発熱部品
１０　　　　放熱部材
１０ａ　　　複数のフィン
【図１】
0003099533.tif 000003
【図２】
0003099533.tif 000004
【図３】
0003099533.tif 000005
【図４】
0003099533.tif 000006
【図５】
0003099533.tif 000007